(57)【特許請求の範囲】
【請求項１】
内側端子の周囲を包囲するシールドシェルを備えたシールド端子を、導電性を備えた固定物に対して固定するコネクタであって、
前記シールド端子を一次係止して収容するハウジングと、このハウジングに組付け可能で、前記シールドシェルと前記固定物とを短絡するアース端子とを備え、かつ前記アース端子は前記ハウジングに組付けられたときに前記ハウジングに収容された前記シールド端子を二次係止して抜け止め可能となっているコネクタにおいて、
前記ハウジングには前記シールド端子を収容するためのキャビティが形成されるとともに、このキャビティ内には前記シールド端子の進入動作を案内するためのガイド溝と、このガイド溝に通じ合うクランク溝とが形成される一方、前記アース端子には前記シールド端子に対する二次係止を行う当接片が備えられ、かつこの当接片は前記シールド端子の組み込み前には前記クランク溝内において前記ガイド溝の下方に退避して位置し、前記シールド端子の組み込み後には前記ガイド溝へ進入して前記シールド端子に対する二次係止を可能とすることを特徴とするコネクタ。
【請求項２】
前記アース端子の組付け方向が、前記ハウジングに対する前記シールド端子の挿入方向と交差する方向であることを特徴とする請求項１記載のコネクタ。
【請求項３】
前記アース端子は前記ハウジングに対して前記シールド端子の挿抜を許容する仮係止位置と、前記シールド端子に二次係止する本係止位置との間で移動可能に組み付けられることを特徴とする請求項１または請求項２記載のコネクタ。
【請求項４】
前記ハウジングと前記アース端子との双方には取付部材を貫通させて前記固定物に対して固定するための取付孔が形成され、
前記仮係止位置においては前記ハウジング側の取付孔と前記アース端子側の取付孔とは不整合の状態にあり、
前記本係止位置において前記ハウジング側の取付孔と前記アース端子側の取付孔とは整合状態となることを特徴とする請求項３に記載のコネクタ。
【請求項５】
前記アース端子は前記本係止位置において前記シールドシェルと接触可能な接触片を備え、かつこの接触片は前記仮係止位置では前記シールドシェルに対して非接触状態となっていることを特徴とする請求項３または請求項４記載のコネクタ。
【請求項６】
前記仮係止位置において、前記接触片の先端部は外部から検知可能な位置に露出していることを特徴とする請求項５記載のコネクタ。
【発明の詳細な説明】
【０００１】
【発明の属する技術分野】
本発明は、シールド端子を備えたタイプのコネクタに関する。
【０００２】
【従来の技術】
従来、この種のコネクタとして、特開平８−９６８９５号公報に記載されたものがあった。このコネクタはシールド端子を収容するハウジングにアース端子を組み付けてから、導電性パネルに取付けられるもので、アース端子でもってシールド端子のシールドシェルと導電性パネルとを短絡するようになっている。このコネクタは、ハウジング内にシールド端子を挿入すると、シールド端子はハウジング内に形成されたランスによって係止され、このランスの係止力によって抜け止めがなされていた。
【０００３】
【発明が解決しようとする課題】
しかしながら、上述したコネクタのようにシールド端子をランスの係止だけで抜止を行うものでは、リテーナを使用して端子を二重に係止するものと比較すれば係止力が必ずしも充分とはいえない。すなわち、通常のコネクタであれば、リテーナをハウジングに組み付けることによって内部に収容されている端子に容易に係止させることができる。
しかし、シールドタイプのコネクタではシールド端子周りにアース端子が配置されていることもあって、アース端子との干渉を回避しつつリテーナをシールド端子に係止させる構造を採るのは容易でない。こうした事情から、従来のシールドタイプのコネクタにはランスのみによってしか抜け止めが図られていなかったのである。
本発明は上記のような事情に基づいて完成されたものであって、シールド端子に対する係止力を向上させるコネクタを提供することを目的とする。
【０００４】
【課題を解決するための手段】
上記の目的を達成するための手段として、請求項１の発明は、内側端子の周囲を包囲するシールドシェルを備えたシールド端子を、導電性を備えた固定物に対して固定するコネクタであって、前記シールド端子を一次係止して収容するハウジングと、このハウジングに組付け可能で、前記シールドシェルと前記固定物とを短絡するアース端子とを備え、かつ前記アース端子は前記ハウジングに組付けられたときに前記ハウジングに収容された前記シールド端子を二次係止して抜け止め可能となっているコネクタにおいて、前記ハウジングには前記シールド端子を収容するためのキャビティが形成されるとともに、このキャビティ内には前記シールド端子の進入動作を案内するためのガイド溝と、このガイド溝に通じ合うクランク溝とが形成される一方、前記アース端子には前記シールド端子に対する二次係止を行う当接片が備えられ、かつこの当接片は前記シールド端子の組み込み前には前記クランク溝内において前記ガイド溝の下方に退避して位置し、前記シールド端子の組み込み後には前記ガイド溝へ進入して前記シールド端子に対する二次係止を可能とするところに特徴を有する。
【０００５】
請求項２の発明は、請求項１に記載のコネクタにおいて、前記アース端子の組付け方向が、前記ハウジングに対する前記シールド端子の挿入方向と交差する方向であるところに特徴を有する。
【０００６】
請求項３の発明は、請求項１または請求項２記載のコネクタにおいて、前記アース端子は前記ハウジングに対して前記シールド端子の挿抜を許容する仮係止位置と、前記シールド端子に二次係止する本係止位置との間で移動可能に組み付けられるところに特徴を有する。
【０００７】
請求項４の発明は、請求項３に記載のコネクタにおいて、前記ハウジングと前記アース端子との双方には取付部材を貫通させて前記固定物に対して固定するための取付孔が形成され、前記仮係止位置においては前記ハウジング側の取付孔と前記アース端子側の取付孔とは不整合の状態にあり、前記本係止位置において前記ハウジング側の取付孔と前記アース端子側の取付孔とは整合状態となるところに特徴を有する。
【０００８】
請求項５の発明は、請求項３または請求項４記載のコネクタにおいて、前記アース端子は前記本係止位置において前記シールドシェルと接触可能な接触片を備え、かつこの接触片は前記仮係止位置では前記シールドシェルに対して非接触状態となっているところに特徴を有する。
【０００９】
請求項６の発明は、請求項５記載のコネクタにおいて、前記仮係止位置において、前記接触片の先端部は外部から検知可能な位置に露出しているところに特徴を有する。
【００１０】
【発明の作用及び効果】
＜請求項１の発明＞
コネクタはシールド端子をハウジングとアース端子とでもって二重に係止できる。従って、シールド端子に対する係止力の向上が可能となる。
【００１１】
＜請求項２の発明＞
シールド端子が抜け方向に移動しようとすると、アース端子はシールド端子の抜けを規制する。このとき、アース端子は、シールド端子の挿抜方向と交差する方向に組み付けられているので、シールド端子の抜け方向に作用する力を受けても、これはアース端子自身の組付け方向とは交差する方向に作用する力であり、アース端子の組付けは容易に解除されない。つまり、アース端子はシールド端子に対する二次係止を堅固に保持することができる。従って、コネクタはシールド端子に対する係止力の一層の向上が可能となる。
【００１２】
＜請求項３の発明＞
コネクタは、アース端子をシールド端子の挿抜を許容する仮係止位置に組付けられるので、ハウジングとアース端子とを一体に組付けてから、シールド端子の挿入作業を行うことができる。従って、コネクタは、シールド端子装着前のコネクタの運搬やコネクタに対するシールド端子の組付け時において、ハウジングとアース端子とを１部品として扱うことができるので、作業性に優れる。
【００１３】
＜請求項４の発明＞
アース端子が仮係止位置にある場合、取付孔が整合しておらず、固定部材への取付ができないので、アース端子の本係止位置への押し込み忘れを防止できる。
【００１４】
＜請求項５の発明＞
仮係止位置において接触片は非接触状態にあるので、シールド端子をハウジングに組付ける際にはシールド端子と接触片とが干渉しない。従って、シールド端子の挿入抵抗を低減できる。
【００１５】
＜請求項６の発明＞
接触片の先端部が外部から検知可能な位置に露出しているので、接触片の先端部に対して光電式検知の光を照射することにより、接触片の先端部が正規位置に配されているか否か判別することができる。
【００１６】
【発明の実施の形態】
以下、本発明の一実施形態を図１〜図１６に基づいて説明する。
本実施形態のコネクタ１０は、図１及び図４に示すようなシールド筐体Ｃに組み付けがなされる。シールド筐体Ｃは導電性の板材により箱型状に形成され、その一面はコネクタ１０に対する取付面となっている。この取付面には図２に示すようなコネクタ差込み用の開口部Ｓとコネクタ固定用の取り付け孔Ａとが開口している。但し、差込み用の開口部Ｓの両側縁部及び底縁部にはそれぞれ逃がし部Ｔが張り出し状に形成されている。
【００１７】
一方、コネクタ１０はハウジング２０とアース端子５０とからなっている。ハウジング２０は合成樹脂材により一体に形成され、図９に示すように、前部は角筒状に開口するフード部２０Ｆとなっている。フード部２０Ｆにおける外面の開口縁寄りには、左右側壁に一対、底壁５１の中央部に一つの張り出し部２３が配されている。ハウジング２０のフード部２０Ｆは各張り出し部２３を、シールド筐体Ｃにおいてそれぞれ対応する逃がし部Ｔに適合させつつ嵌め入れ可能であり、嵌め入れられた後にハウジング２０全体を図示下方へずらすことで各張り出し部２３を逃がし部Ｔの開口縁に引掛けてコネクタ１０全体がシールド筐体Ｃに仮保持されるようにしている。
【００１８】
また、フード部２０Ｆは図示しない相手側コネクタと嵌合可能に形成され、相手側コネクタとは天井面に形成されたハウジングロック２６が係止することによって嵌合状態でロックされるようになっている。さらに、フード部２０Ｆにおける左右両側壁の外面でかつ上記した張り出し部２３の所定間隔（シールド筐体Ｃの肉厚よりもやや大きめの間隔）だけ後方の位置には一対の固定片２２が張り出し形成されている。両固定片２２はシールド筐体Ｃの壁面に当接可能であるとともに、それぞれにはシールド筐体Ｃの取り付け孔Ａに対応する固定孔２２Ａが貫通している。これについては、後に改めて説明する。さらにまた、両固定片２２，２２の付け根部分であってフード部２０Ｆの開口面寄りにはアース端子の巻着片５３の先端を差し込んで開き止めを行う差込み溝２２Ｂが形成されている。
【００１９】
ハウジング２０はフード部２０Ｆに連続して端子保持部２０Ｒが備えられており、その内部にはシールド端子１５を収容するためのキャビティ２１が前後に貫通して形成されている。このキャビティ２１は断面が方形状に形成され、シールド端子１５を後方より挿入可能である。また、キャビティ２１の図示天井面には片持ち状にランス２５が形成され、図示上下方向に撓んでシールド端子１５に一次係止可能となっている。
【００２０】
ここで、シールド端子１５について説明するが、シールド電線Ｗの先端に接続されるシールド端子１５自体は公知のものであり、詳細な図示及び説明はしないが、次のように構成されている。シールド電線Ｗは中心に芯線を有し、その周りに絶縁層が形成され、さらにこの絶縁層には編組線が巻かれ、最外層に外被が配された同軸線となっている。シールド端子１５は、芯線に対して接続された内側端子１７と、この内側端子１７を収容するシールドシェル１６と、内側端子１７とシールドシェル１６との間に介在される誘電体１８とからなっている。
【００２１】
図３に示すように、シールドシェル１６の天井面の後部は開放され、開放された部分の前縁が前記したランス２５によって係止される係止縁１６Ａとなり、また開放された部分の両側縁は外方へ折り曲げられて一対のスタビライザ１９，１９が形成されている。
【００２２】
ところで、キャビティ２１内にはシールド端子１５の進入動作を案内するために、上記両スタビライザ１９，１９が嵌め込まれる一対のガイド溝２７，２７が凹み形成されている（図９参照）。同図に示すように、両ガイド溝２７，２７はキャビティ２１の後端縁からキャビティ２１の長さ方向に沿って延設され、ランス２５においてシールド端子１５と係止する部分の先端位置とほぼ同位置に至るまでのストロークに亘って形成されており、その終端は行き止まりとなってスタビライザ１９を突き当てる突き当て部２７Ａとなっている。尚、この実施形態においては、ガイド溝２７は入り口側よりも奥側の方が幅狭になっている。これにより、シールド端子１５の挿入初期では、スタビライザ１９は広い間隔のガイド溝２７を通過できるため、シールド端子１５を軽い力で挿入させることができ、挿入終期ではガイド溝２７の溝幅が絞られるため、シールド端子１５をがたつきなく保持することができる。
【００２３】
また、キャビティ２１内における底面の幅方向両端部には一対の検知溝２８が全長にわたって凹み形成されている。この検知溝２８はアース端子５０がハウジング２０に対して仮係止位置にあるときに、検知溝２８内にアース端子５０の所定部位（接触片５６の先端部）が位置するか否かを検知溝２８に沿ってレーザー光を通過させることによって検知する役割を果たす。
【００２４】
次に、ハウジング２０に組み付けられるアース端子５０について説明する。アース端子５０は導電性の金属板よりなり、図５に示すような展開形状から折り曲げによって形成されている（図２参照）。底壁５１からは両側縁部５２，５２が起立し、さらにこの両側縁部５２，５２の後端は底壁５１の後縁に沿うようにして内側に曲げられ、撓み可能な一対の本係止片５４が形成されている。さらに、両本係止片５４の対向する縁部にはそれぞれ本係止突部５４Ａが突出形成されている。この両本係止突部５４Ａ，５４Ａは後に説明するが、アース端子５０が仮係止位置にあるときには（図１４の状態）、後述する装着孔３１の孔縁に係止してハウジング２０に対してアース端子５０がそれ以上に深く差込まれないように仮規制する。また、アース端子５０が本係止位置（図１５の状態）にあるときにはハウジング２０内の検知溝２８に進入してここに係止可能となっている。
【００２５】
また、両側縁部５２，５２における本係止片５４とは反対側に一対の起立壁５５，５５が対向して形成されている（図２参照）。両起立壁５５，５５には一対の巻着片５３が外方へ張り出し形成されている。両巻着片５３は内向きに開口するコの字状をなして形成され、共に両固定片２２に対して整合して嵌め合わせることができるようになっている。また、両巻着片５３，５３には透孔５３Ａが形成され、アース端子５０がハウジング２０に対し正規に取り付けられることで、両巻着片５３が固定片２２に対して正規に嵌め合わされたときに透孔５３Ａと固定孔２２Ａとが整合するようになっている（図４参照）。
【００２６】
さらに、図２に示すように、起立壁５５における途中の高さ位置には片持ち状に形成された一対の接触片５６，５６がそれぞれ撓み可能に形成され、キャビティ２１内に収容されたシールド端子１５のシールドシェル１６の側面に弾性力をもって接することができる（図１参照）。両接触片５６，５６は徐々に内向きとなるように内部へ向けて延出しており、付け根部側から先端側にいくにつれ次第に幅狭となるように形成されている。さらに、両接触片５６，５６の先端は略Ｖ字状をなして外向きに屈曲しており、シールド端子１５に対する接触先端部５６Ａとなっている（図１，２参照）。
【００２７】
さらにまた、起立壁５５において上記接触片５６を挟んで両側縁部５２，５２と反対側には一対の係合片５７，５７が形成されている（図２参照）。両係合片５７，５７は起立壁５５から内向きに階段状に延出しており、起立壁５５から一段下がったところには対向片５８が形成され、その中央部には外面側への切り起こしによって係止爪６０が形成されており、ハウジング２０側に係止してアース端子５０全体を仮係止位置に保持できるようにしている。尚、本実施形態の係止爪６０は、予め対向片５８に長孔６０Ａを打ち抜いて（図５参照）、係止爪６０の下端縁を直線状に形成してから切り起こして形成されている。
また、対向片５８の先端縁は内向きに直角にかつ撓み可能に折り曲げられて当接片５９がそれぞれ形成されているが、当接片５９は対向片５８よりも幅狭となるように上端縁が切り落とされている。
【００２８】
次に、ハウジング２０へアース端子５０を組み込むための構成について説明すると、ハウジング２０における端子保持部２０Ｒの底面には、図７に示すように、アース端子５０を組み付けるための装着孔３１が左右に分かれて開口し、内部のキャビティ２１へと連通している。また、この装着孔３１へアース端子５０を装着するときに、端子保持部２０Ｒとの干渉を避けるために、端子保持部２０Ｒの両側壁には両装着孔３１に連続してアース端子５０の差し込みスリット３２が縦向きに形成されている。また、端子保持部２０Ｒにおける底面及び両側面のうち両装着孔３１及び差し込みスリット３２を含む領域は、アース端子５０が取り付けられたときに周辺の面とアース端子５０の外面とがほぼ面一となるよう、アース端子５０の肉厚分だけ凹ませた側面段差部３５Ａ及び底面段差部３５Ｂとしてそれぞれ形成されている。
【００２９】
側面段差部３５Ａにおける上記差し込みスリット３２の下半部３３はアース端子５０の接触片５６をキャビティ２１内へ導入するためのものであり、接触片５６の傾斜に適合できるよう、スリット３２に隣接する部分の壁面はスリット３２に向けて下り勾配となるような斜面３３Ａが形成されている。さらに、図７に示すように、スリット３２の上半部３４の一方の開口縁部で上記した斜面３３Ａの後端縁とほぼ同じ深さ位置からは鉤型形状をなす延長壁３４Ａが端子保持部２０Ｒの側壁３７とほぼ平行に延出して形成されている。これにより、端子保持部２０Ｒ内における側壁３７との間にはアース端子５０の係合片５７の形状に適合可能なクランク溝３４Ｂが形成され、このクランク溝３４Ｂの終端部は当接片５９を収容可能な引掛け部３６となっている。さらに、図９に示すように、このクランク溝３４Ｂの引掛け部３６はスタビライザ１９に対するガイド溝２７とほぼ直交して通じ合うようになっている。
【００３０】
端子保持部２０Ｒの側壁３７であって、両装着孔３１の開口縁部にはアース端子５０の両側縁部５２，５２及び本係止片５４のそれぞれ内面に密着する受け片４０が形成されている。但し、両受け片４０，４０の外面は周辺の面よりもアース端子５０の肉厚分だけ内側へ引っ込めてある。受け片４０の前方にはこれと並列に垂片４１が形成されており、この垂片４１と受け片４０との間には隙間４２が保有されており、アース端子５０をハウジング２０に組み付ける際に両対向片５８，５８に形成された係止爪６０との干渉を避けることができるようにしている。
【００３１】
また、端子保持部２０Ｒの側壁３７の内面で前記隙間４２の上部に連続した面は図１２に示すように、テーパー面３７Ａとなっているとともに、このテーパー面３７Ａに連続して段差面３８が形成されている。従って、アース端子５０の組み付け時に係止爪６０はテーパー面３７Ａに沿って撓みつつ変位し、段差面３８に適合した時点で復帰してここに係止する。これにより、アース端子５０は仮係止位置に保持される。なお、段差面３８は端子保持部２０Ｒの後端面から穿孔された型抜き孔３９を利用して形成されている。
【００３２】
続いて、本実施形態のコネクタ１０の組付けを説明すると、まず、アース端子５０の両巻着片５３，５３をハウジング２０の固定片２２に適合させ、巻着片５３の先端を差込み溝２２Ｂに差し込む。これと同時に、両係合片５７，５７を差し込みスリット３２に適合させ、その状態で、ハウジング２０に対する押し込みを行う。このとき、係合片５７の係止爪６０はハウジング２０側における垂片４１と受け片４０との間の隙間４２を通過してハウジング２０内のテーパー面３７Ａに沿って撓みつつ移動する。アース端子５０の押し込みが進行すると、両接触片５６，５６も受け片４０及び垂片４１の内側へ進入する。そして、係止爪６０が段差面３８に至ると、係止爪６０は弾性復帰して段差面３８に係止する（図１３参照）。また、このときにはアース端子５０の両本係止突部５４Ａ，５４Ａがハウジング２０における装着孔３１の孔縁に引掛かる（図１４参照）ことから、アース端子５０はそれ以上の押し込みが規制されるとともに、抜け落ちに対しても規制された仮係止位置となる。
【００３３】
上記仮係止位置では、アース端子５０の当接片５９の上端縁はハウジング２０内のガイド溝２７よりも下方に位置し、また図１３に示すように、アース端子５０の接触片５６は検知溝２８内に臨むが、その上端はキャビティ２１の底壁よりも低位にある。したがって、アース端子５０が仮係止位置にあるときには、シールド端子１５はアース端子５０と干渉することなくキャビティ２１内へ挿入することができる。こうしてキャビティ２１内へシールド端子１５を所定深さまで挿入すれば、ランス２５はシールドシェル１６の係止縁１６Ａと係止（一次係止）する。尚、キャビティ２１内の奥方の左右側面及び底面には突条２９が設けられているので、挿入後のシールド端子１５をがたつきなく保持できる。
【００３４】
ところで、アース端子５０が仮係止位置にあるときには、接触片５６の接触先端部５６Ａが検知溝２８内に位置している。したがって、アース端子５０がハウジング２０に対して仮係止位置にあるものを光電式検知装置に仕掛け、検知溝２８の長さ方向からレーザー光を投光すれば、アース端子５０が正しく仮係止位置にあるか否かによって、受光側でのレーザー光の受光の有無が検出される。したがって、その結果に基づいてアース端子５０の装着異常を自動的に検出することができる。なお、検知溝２８内に接触片５６の接触先端部５６Ａが有るか否かは目視によっても判別可能である。
【００３５】
上記の仮係止位置から、アース端子５０をさらに押し込むと、本係止片５４が内方へ撓み本係止突部５４Ａが装着孔３１内へ押し込まれてゆく。そして、検知溝２８と適合した時点で本係止片５４が弾性復帰し本係止突部５４Ａが検知溝２８の内壁に係止するので、アース端子５０全体が本係止位置となる（図１６参照）。
【００３６】
アース端子５０が本係止位置になると、当接片５９がガイド溝２７内に進入して、シールド端子１５のスタビライザ１９の後方に位置する。これによって、シールド端子１５の抜けが規制される。かくして、シールド端子１５はランス２５による一次係止と併せてアース端子５０によって二次係止もなされていることになる。また、本係止に至ったアース端子５０は接触片５６の接触先端部５６Ａがシールド端子１５のシールドシェル１６を左右から弾性力をもって接する。また、本係止片５４の上端縁がシールド端子１５の下面に当接してシールド端子１５を押し上げているため、シールド端子１５の上下方向のがたつきも抑制される。
【００３７】
一方、シールド端子１５が正規深さまで挿入されない、いわゆる半挿入状態にあるときには、スタビライザ１９が当接片５９の通過路であるクランク溝３４Ｂの引掛け部３６を塞いでいるため、当接片５９がガイド溝２７内に進入することができない。したがって、作業者はこのような異常によってシールド端子１５の半挿入を知ることができる。
【００３８】
さらには、アース端子５０がハウジング２０に対し本係止位置になると、巻着片５３の透孔５３Ａと固定片２２の固定孔２２Ａとが整合するが、本係止に至るまでの間は不整合の状態にある。したがって、本係止位置にあれば、シールド筐体Ｃの壁面の取付け孔ＡへねじＢによってコネクタ１０全体の取付けが可能となるが、本係止位置に至っていない場合には、取付け孔Ａ、透孔５３Ａ、固定孔２２ＡへのねじＢの差込みが不能となる。したがって、少なくともシールド筐体Ｃへの取付けの段階になれば、アース端子５０の取付け異常が確実に検出される。もちろん、取付け以前の目視によっても異常の検出は十分可能ではある。
【００３９】
尚、メンテナンス等で、ハウジング２０からシールド端子１５を抜き出す必要がある場合は、ハウジング２０底部の解除凹部２１Ａに治具等を入れてアース端子５０の底壁５１を外方へ押し下げてアース端子５０を仮係止位置に戻すことで二次係止を解除し、さらにコネクタの前方から治具等を挿入してランス２５による一次係止を解除すればよい。
【００４０】
このように本実施形態のコネクタによれば、キャビティ２１のランス２５による一次係止に加えアース端子５０の当接片５９による二次係止を行い、シールド端子１５に対して二重係止することができる。さらに、アース端子５０はシールド端子１５の挿入方向と交差する方向に組みつけられるので、シールド端子１５は確実に抜け止めがなされる。
【００４１】
また、ハウジング２０に対してアース端子５０を仮係止位置に組付けることで、ハウジング２０とアース端子５０とを一体にしてからシールド端子１５の組付けを行うことができ、ハウジング２０とアース端子５０とを別個に保持する必要がない。さらに、仮係止位置においては接触片５６はシールド端子１５と接触しない位置にあるため、シールド端子１５の挿入抵抗を低くすることができる。
【００４２】
また、本実施形態のアース端子５０はシールドシェル１６に対して導通接続を行う接触片５６を、底壁５１と係合片５７との間に配置しているので、接触片５６が組付け時に他の部材等に引っ掛かったり、作業者に直接手で触れられたりすることを制限して、接触片５６を変形から保護することができる。
【００４３】
さらに、検知溝２８に光電式検知からの光を通過させて、仮係止位置におけるアース端子５０の接触片５６の接触先端部５６Ａが正規位置に配置されているか否かを検知することで、接触片５６が正規位置からずれてしまった不良品等を出荷前に未然に取り除くことができる。
【００４４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では雄側のシールド端子１５であったが、雌側のシールド端子であっても良い。
（２）上記実施形態では、アース端子５０の仮係止位置から本係止位置への移動に伴い接触片５６が退避位置からキャビティ２１内に進入してシールド端子に対する接触を行う構成であったが、予め接触片５６をキャビティ２１内に配置する構成であっても良い。
【図面の簡単な説明】
【図１】本発明に係るコネクタの断面図
【図２】コネクタの分解斜視図
【図３】アース端子を仮係止位置に組付けたコネクタの斜視図
【図４】アース端子を本係止位置に組付けたコネクタの斜視図
【図５】アース端子の展開図
【図６】ハウジングの背面図
【図７】ハウジングの底面図
【図８】ハウジングの側面図
【図９】ハウジングの側断面図
【図１０】他の位置におけるハウジングの側断面図
【図１１】ハウジングの平断面図
【図１２】ハウジングの断面図
【図１３】アース端子を仮係止位置に組付けたコネクタの背面図
【図１４】仮係止位置においてシールド端子を挿入したコネクタの側断面図
【図１５】アース端子を本係止位置に組付けたハウジングの背面図
【図１６】シールド端子を二重係止したコネクタの側断面図
【符号の説明】
１０…コネクタ
１５…シールド端子
１６…シールドシェル
１７…内側端子
２０…ハウジング
２２Ａ…固定孔（取付孔）
２８…検知部（孔部）
５０…アース端子
５３Ａ…透孔（取付孔）
５６…接触片
５６Ａ…接触先端部（先端部）
Ｂ…ねじ（取付部材）
Ｃ…シールド筐体（固定物）
【図１】
0003651393.tif 000002
【図２】
0003651393.tif 000003
【図３】
0003651393.tif 000004
【図４】
0003651393.tif 000005
【図５】
0003651393.tif 000006
【図６】
0003651393.tif 000007
【図７】
0003651393.tif 000008
【図８】
0003651393.tif 000009
【図９】
0003651393.tif 000010
【図１０】
0003651393.tif 000011
【図１１】
0003651393.tif 000012
【図１２】
0003651393.tif 000013
【図１３】
0003651393.tif 000014
【図１４】
0003651393.tif 000015
【図１５】
0003651393.tif 000016
【図１６】
0003651393.tif 000017